(57)【要約】【課題】金箔の搬送や貼付作業などの金箔の取扱いを容易にする技術に関し、自由形状の表面を有する被装飾物の表面にある程度の大きさを備えた金箔を貼付する作業を容易に行うことができるようにする。特に金箔の貼付作業に慣れていない菓子職人などであっても、食品の所望領域への金箔の貼付を容易に行うことができるようにする。【解決手段】樹脂シート２に金箔４を静電気で吸着した金箔担持シートにおいて、樹脂シート２と金箔４との間に金箔４の樹脂シート２への吸着を妨げる介装シート３を備えた３枚重ねのシートとなっている。金箔４は、その周縁の一部４１、４２が介装シート３の周縁から突出した状態で樹脂シート２に吸着されている。【選択図】図１
2019026385.tif 000002
【特許請求の範囲】
【請求項１】
樹脂シートに金箔を静電気で吸着した金箔担持シートにおいて、前記樹脂シートと金箔との間に金箔の前記吸着を妨げる介装シートを備え、前記金箔がその周縁の対向する一部を前記介装シートの周縁から突出した状態で前記樹脂シートに吸着されている、金箔担持シート。
【請求項２】
金箔の対向辺が介装シートから突出して樹脂シートに直接吸着されている、請求項１記載の金箔担持シート。
【請求項３】
金箔の対向辺とこれに隣接する辺の一方が介装シートから突出して樹脂シートに直接吸着されている、請求項２記載の金箔担持シート。
【請求項４】
金箔の四隅が介装シートから突出して樹脂シートに直接吸着されている、請求項１記載の金箔担持シート。
【請求項５】
介装シートから突出した金箔の突出部が存在しない側の樹脂シートの１辺がその辺側の金箔の辺に対して傾斜している、請求項１、２又は３記載の金箔担持シート。
【請求項６】
請求項１から５のいずれか記載の金箔担持シートの複数枚が、各枚が仕切り紙に挟まれて積重されている、金箔流通パッケージ。
【発明の詳細な説明】
【技術分野】
【０００１】
この発明は、金箔の搬送や貼付作業などの金箔の取扱いを容易にする技術に関するものである。
【背景技術】
【０００２】
漆器や屏風などの装飾に用いる装飾用金箔（以下、単に「金箔」と言う。）は、寸法が１０ｃｍ〜２０ｃｍ角であるが、厚さは０．１〜０．３μｍと非常に薄く、金箔単体では僅かな風圧で折れ曲がったり皺になったりして、その取り扱いに熟練を必要とする。この金箔の取り扱いを容易にするために、所定寸法に切断した金箔を静電気を利用して樹脂シートに吸着させ、この樹脂シートと共に金箔を取り扱うということが行われている。
【０００３】
すなわち、所定寸法に切断された金箔をＰＥ（ポリエチレン）やОＰＰ（オリエンテッドポリプロリレン）などの樹脂シートに静電気を利用して吸着させ、樹脂シートに吸着させた状態で金箔を搬送し、金箔が吸着されている側の面を被装飾物に添着し、その後、樹脂シートを剥離して金箔を被装飾物の表面に付着させるという手順で金箔の貼付作業を行っている（特許文献１）。被装飾物の表面には、漆その他の接着性を備えた塗料が塗布されているので、樹脂シートに吸着された金箔を当該被装飾物の表面に添着して樹脂シートを剥がすと、金箔は皺や折れを生ずることなく、被装飾物の表面に貼着される。
【先行技術文献】
【特許文献】
【０００４】
【特許文献１】特開２０１２‐２０７９２号公報
【発明の概要】
【発明が解決しようとする課題】
【０００５】
細かく切断ないし破断した金箔を和菓子などの食品の表面に貼着して装飾することは、広く行われている。一方、ある程度の大きさを備えた金箔をソフトクリームの表面全体を覆うように添着して提供することが行われるようになってきている。すなわち、従来は食品のごく一部に金箔をあしらって装飾していたのに対し、近時は食品表面の広い領域に金箔を貼付して提供することが行われている。
【０００６】
漆器や仏壇などの被装飾物に金箔を貼付する作業は、工芸家や職人などある程度金箔の扱いに熟練した者が金箔を取り扱っている。しかし、食品に金箔を貼付する作業を行う者は、菓子職人などの金箔の扱いに不慣れな者である。しかもソフトクリームや和菓子などの被装飾物は表面が凹凸のある自由曲面からなる立体である。そのため、食品表面への金箔の貼付作業は、漆器や仏壇などの表面への金箔の貼付作業より難しく、うまく貼付することができないために、折れ曲がりや皺によって金箔が収縮して所望の表面領域に金箔を貼付することができず、食品や金箔を無駄にする事態が生じている。
【０００７】
すなわち、凹凸のある食品表面に金箔を添着する際、樹脂フィルムに吸着された金箔を食品表面に当てがっても金箔のほんの一部しか食品表面に触れておらず、樹脂シートを撓ませて食品の表面全体に金箔を接触させることも不可能であるため、樹脂シートを剥離するときに、食品表面に付着していない部分の金箔が樹脂シート側に引かれて折れ曲がったり皺になったりして所望の食品表面を金箔で覆うことができなくなるのである。
【０００８】
この発明は、自由形状の表面を有する被装飾物の表面にある程度の大きさを備えた金箔を貼付する作業を容易に行うことができるようにすることを課題としており、特に金箔の貼付作業に慣れていない菓子職人などであっても、食品の所望領域への金箔の貼付を熟練を必要とすることなく容易に行うことができるようにすることを課題としている。
【課題を解決するための手段】
【０００９】
この発明は、樹脂シート２に金箔４を静電気で吸着した金箔担持シートにおいて、樹脂シート２（２、２ｂ）と金箔４との間に金箔４の樹脂シート２への吸着を妨げる介装シート３（３、３ｄ）を備え、金箔４がその周縁の対向する一部４１、４２、４３が介装シート３の周縁から突出した状態で樹脂シート２に吸着されている金箔担持シート１（１ａ〜１ｄ）を提供することにより、上記課題を解決している。
【００１０】
樹脂シート２は、従来から使われているＰＥやＯＰＰを使用すればよく、シートの厚さについても特別の配慮を必要としないので、従来使われているものをそのまま使用すればよい。介装シート３は、薄い和紙が適しており、従来から金箔を挟むのに用いられている間紙を用いることができる。
【００１１】
樹脂シート２は、金箔４より寸法の大きなものとし、介装シート３は、金箔４の全体を覆うことのない寸法ないし形状とする。介装シート３の形状は、例えば矩形（正方形を含む直角四辺形）の角を斜めに切り落として金箔４の四隅が介装シート３から突出する形状や、金箔４の寸法より短い短辺と長い長辺とを備えて金箔４の一方の対向辺が介装シート３から突出する形状や、金箔４の一方の対向辺とこれに隣接する辺の一方が介装シート３から突出する形状などが例示できる。
【００１２】
この発明の金箔担持シート１は、金箔４と樹脂シート２との間に介装シート３が介装されており、金箔４の介装シートから突出した突出部４１、４２、４３が静電気によって樹脂シート２に直接接して吸着されて３枚重ねのシートとなっているものである。
【００１３】
この発明の金箔流通パッケージは、この発明の金箔担持シート１の所定枚を仕切り紙６に挟んだ状態で重ね合わせ、重ね合わせたものの両面を適宜な厚紙で保護して結束するか、あるいは厚紙製の箱に収容したものである。
【発明の効果】
【００１４】
上記構造の金箔担持シート１は、樹脂シート２を１枚ずつ取り扱うことによって金箔４を１枚ずつ取り扱うことができる。金箔４は、介装シート３から突出している突出部４１、４２、４３のみで樹脂シート２に吸着されており、金箔４の大部分は、介装シート３によって樹脂シート２への吸着が阻止ないし阻害されているので、樹脂シート２に吸着されている金箔４をソフトクリームや和菓子などの被装飾物の表面に接触させて樹脂シート２を剥離すると、突出部４１、４２、４３が樹脂シート２から離脱した金箔は、重力や風圧によって介装シート３から離れてふわりと凹凸のあるソフトクリームや菓子の表面に移動して添着され、不要な皺や折れが生ずることなく、被装飾物の表面を装飾することができる。
【００１５】
従って、この発明の金箔担持シート１によれば、特別な熟練を要することなく、ソフトクリームや菓子などの凹凸のある自由形状の被装飾物の表面にある程度の大きさの金箔４を貼付することが可能になり、表面のある程度の大きさの所望領域の表面全体を金箔４で覆うことが容易に可能になるという効果がある。
【００１６】
そして、この発明の金箔流通パッケージ５によれば、上記のような効果を備えた金箔担持シート１を流通途中に金箔４や介装シート３を損傷することなく流通させることができるという効果がある。
【図面の簡単な説明】
【００１７】
【図１】第１実施例の金箔担持シートの平面図
【図２】第１実施例の金箔担持シートの分解斜視図
【図３】第２実施例の金箔担持シートの平面図
【図４】第３実施例の金箔担持シートの平面図
【図５】第３実施例の金箔担持シートの分解斜視図
【図６】第４実施例の金箔担持シートの平面図
【図７】第４実施例の金箔担持シートの分解斜視図
【図８】金箔担持シートを積重した金箔流通パッケージの分解斜視図
【発明を実施するための形態】
【００１８】
以下、図面を参照してこの発明の実施形態を説明する。図１及び図２は、この発明の金箔担持シートの第１実施例を示し、図３は、金箔担持シートの第２実施例を示し、図４及び図５は、金箔担持シートの第３実施例を示し、図６及び図７は、金箔担持シートの第４実施例を示す。図２、図５及び図７は、シートの積層関係を示すためにシート相互を離隔して示している。
【００１９】
金箔担持シート１は、樹脂シート２の片面に介装シート３（３、３ｄ）を介して金箔４を静電気によって吸着した構造をしている。樹脂シート２は、金箔４より大きく、介装シート３は、面積は金箔４の面積より大きくても良いが、金箔４の全面を覆うことのできない形状ないし寸法である。
【００２０】
第１実施例〜第３実施例の介装シート３は、短辺が金箔４の同方向の寸法より短い矩形で、金箔４と樹脂シート２、２ｂとの間に介装されている。第１実施例及び第２実施例のものでは、介装シート３から突出した金箔４の対向する両辺の突出部４１とその一方の隣接辺の突出部４２が樹脂シート２に直接接触して吸着されている。
【００２１】
金箔４の突出部４１、４２の介装シート３からの突出幅ｄは２〜３ｍｍが適当である。この突出幅ｄは、金箔４の寸法が大きくなればより大きな値とするのが好ましく、図の例は金箔の寸法が１０ｃｍ角程度の場合の例である。
【００２２】
図３は、第１実施例と樹脂シートの形状のみが異なる第２実施例を示した図である。第２実施例の樹脂シート２ｂは、金箔４の突出部が存在しない側の辺２ｓが、その側の金箔の辺４ｓに対して傾斜している点が第１実施例と異なっている。
【００２３】
第３実施例では、長辺を樹脂シート２の同方向の寸法と等しい寸法とした介装シート３が金箔４と樹脂シート２との間に介装されて、介装シート３から突出した金箔４の対向両辺の突出部４１が樹脂シート２に直接接触して吸着されている。
【００２４】
第４実施例の介装シート３ｄは、長辺の長さが樹脂シート２の同方向の長さと等しく、短辺の長さが樹脂シート２と金箔４の同方向の長さの中間の長さを備えた矩形の四隅を斜めに切り落として金箔４と重ねたときに金箔４の四隅が介装シート３ｄから突出する突出部４３となる形状である。この第４実施例の場合には、金箔４の四隅の突出部４３が樹脂シート２との間に介装された介装シート３ｄから突出して樹脂シート２に直接接触して吸着されている。
【００２５】
図８は、金箔担持シート１（１ａ〜１ｄ）の複数枚（１０〜２０枚が適当と考えられる）を積重した金箔流通パッケージ５を分解して示した斜視図である。図に示すように、１枚ごとの金箔担持シート１の間にいわゆる間紙からなる仕切り紙６が挿入されて積重され、積重したものの両端面に同様な仕切り紙６が添設され、更にその両面に金箔担持シート１の樹脂シート２と同径同寸法の厚紙からなる保護板７が添設されて、図示しない結束テープで図の上下方向に結束した構造のものである。
【００２６】
このような金箔流通パッケージ５を１単位として流通させることにより、この発明に係る金箔担持シート１を金箔製造販売業者からソフトクリームの販売業者や和菓子の製造業者に流通させることができる。ソフトクリーム販売業者や和菓子製造業者は、金箔流通パッケージ５の結束を解いて、金箔担持シート１を１枚ずつ扱うことにより、必要な菓子などの表面に所望の大きさの金箔を添着して装飾することができる。
【００２７】
アイスクリームや菓子等の被装飾物に金箔を貼付する作業は、第１実施例のものでは、金箔の突出部４２が設けられている側の樹脂シート２の辺２ｔを摘まんで持ち上げ、その状態で被装飾物に金箔を当てがって一部を付着させ、突出部が無い下方となる辺２ｓ側から樹脂シート２を持ち上げながら剥がしてゆくと、金箔４は樹脂シート２から離れて、被装飾物の表面に貼着される。図３に示す第２実施例のものでは、金箔４を被装飾物にあてがった後、斜めになった下方側の辺２ｓの鋭角側の角２ｅから樹脂シート２を剥がすようにすると良い。
【００２８】
第３実施例のものでは、樹脂シート２の金箔の突出部４１が存在する側の対向辺を両手で摘まんで金箔４を被装飾物に当てがい、その後下方となる側の辺から樹脂シート２を持ち上げるように剥がす。第４実施例のものでは、特に限定されないが、突出部４３の無い角部分から樹脂シート２を剥がすようにすると良い。
【００２９】
金箔４が介装シート３に妨げられないで直接樹脂シート２に吸着される突出部をどのように形成するかは、被装飾物の形状や被装飾物に金箔４をどの方向から貼着するかにより決定されるべきである。例えば、被装飾物がソフトクリームのように、上下方向に長い円錐状ないし筒状であり、金箔を横から巻き付けるように貼付するときは、第１実施例や第２実施例のものが貼付作業の作業性に優れている。
【符号の説明】
【００３０】
１（１ａ〜１ｄ）  金箔担持シート
２（２、２ｂ）  樹脂シート
３（３、３ｄ）  介装シート
４  金箔
４１、４２、４３  金箔の突出部
５  金箔流通パッケージ
６  仕切り紙
【図１】
2019026385.tif 000003
【図２】
2019026385.tif 000004
【図３】
2019026385.tif 000005
【図４】
2019026385.tif 000006
【図５】
2019026385.tif 000007
【図６】
2019026385.tif 000008
【図７】
2019026385.tif 000009
【図８】
2019026385.tif 000010